【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
電子デバイスによって記録された場所を表すデータを前記データの完全性または精度のうちの少なくとも１つを向上させるべく処理すること；
前記処理されたデータから位置決定を導出すること；および、
前記導出された位置決定のうちの少なくとも１つを既知の移動コースと整列するべく決定ツリーに基づいて修正すること；
を包含する方法。
【請求項２】
前記データを処理することは、前記データをフィルタリングすることを包含する、請求項１に記載の方法。
【請求項３】
前記データをフィルタリングすることは、複数のフィルタを使用することを包含する、請求項２に記載の方法。
【請求項４】
前記データを処理することは、正確な衛星の位置を導出すること、衛星の高度を計算すること、前記データ内に含まれる評価済みの位置決定を基礎として初期位置決定を設定すること、または受信機自律完全性管理を実行することのうちの少なくとも１つを含む、請求項１に記載の方法。
【請求項５】
前記処理されたデータから位置決定を導出することは、前記処理されたデータをフィルタリングすることを包含する、請求項１に記載の方法。
【請求項６】
前記処理されたデータから位置決定を導出することは、導出された正確な衛星の位置および受信された信号を使用して位置決定を導出すること、複数の受信された信号および補間されたクロック・ドリフトを使用して位置決定を導出すること、既知の位置および回答者の移動速度を使用して位置決定を導出すること、または決定された、もしくは導出された位置決定をマルチパス干渉が検出された場合に取り除くことのうちの少なくとも１つを含む、請求項１に記載の方法。
【請求項７】
前記導出された位置決定のうちの少なくとも１つを既知の移動コースと整列するべく前記決定ツリーに基づいて修正することは、人工知能テクニックを使用することを包含する、請求項１に記載の方法。
【請求項８】
前記導出された位置決定のうちの少なくとも１つを既知の移動コースと整列するべく前記決定ツリーに基づいて修正することは、可能移動経路を表す決定ツリーを組み立てること、前記決定ツリーのノードに尤度値を割り当てること、およびもっとも高い結合した尤度を有する前記決定ツリーの枝に対応する移動経路を選択することを包含する、請求項１に記載の方法。
【請求項９】
前記尤度値は、データ・モーメント、データ・ライン・ドット積、または文脈分析のうちの少なくとも１つを基礎とする、請求項８に記載の方法。
【請求項１０】
メモリに結合され、かつ：
電子デバイスによって記録された場所を表すデータを前記データの完全性または精度のうちの少なくとも１つを向上させるべく処理し；
前記処理されたデータから位置決定を導出し；かつ、
既知の移動コースと整列させるべく前記導出された位置決定のうちの少なくとも１つを決定ツリーに基づいて修正するべくプログラムされるプロセッサを包含する装置。
【請求項１１】
前記プロセッサは、少なくとも１つのフィルタを使用して前記データのフィルタリングを行うことによって前記データを処理するべくプログラムされる、請求項１０に記載の装置。
【請求項１２】
前記プロセッサは、導出された正確な衛星の位置、計算された衛星の高度、前記データ内に含まれる評価済みの位置決定、または受信機自律完全性管理の結果のうちの少なくとも１つを使用することによって前記データを処理するべくプログラムされる、請求項１０に記載の装置。
【請求項１３】
前記プロセッサは、導出された正確な衛星の位置および受信された信号のうちの少なくとも１つを使用して位置決定を導出すること、複数の受信された信号および補間されたクロック・ドリフトを使用して位置決定を導出すること、既知の位置および回答者の移動速度を使用して位置決定を導出すること、または決定された、もしくは導出された位置決定をマルチパス干渉が検出された場合に取り除くことによって前記処理されたデータから前記位置決定を導出するべくプログラムされる、請求項１０に記載の装置。
【請求項１４】
前記プロセッサは、人工知能テクニックを使用することによって既知の移動コースと整列させるべく前記導出された位置決定のうちの少なくとも１つを前記決定ツリーに基づいて修正するべくプログラムされる、請求項１０に記載の装置。
【請求項１５】
前記プロセッサは、可能移動経路を表す決定ツリーを組み立てること、前記決定ツリーのノードに尤度値を割り当てること、およびもっとも高い結合した尤度を有する前記決定ツリーの枝に対応する移動経路を選択することによって既知の移動コースと整列させるべく前記導出された位置決定のうちの少なくとも１つを前記決定ツリーに基づいて修正するべくプログラムされる、請求項１０に記載の装置。
【請求項１６】
前記尤度値は、データ・モーメント、データ・ライン・ドット積、または文脈分析のうちの少なくとも１つを基礎とする、請求項１５に記載の装置。
【請求項１７】
機械可読メディアであって、実行されると機械に：
電子デバイスによって記録された場所を表すデータを前記データの完全性または精度のうちの少なくとも１つを向上させるべく処理させ；
前記処理されたデータから位置決定を導出させ；かつ、
前記導出された位置決定のうちの少なくとも１つを既知の移動コースと整列するべく決定ツリーに基づいて修正させるインストラクションがストアされた機械可読メディア。
【請求項１８】
前記インストラクションは、実行されると前記機械に、少なくとも１つのフィルタを使用して前記データのフィルタリングを行うことによって前記データを処理させる、請求項１７に記載の機械可読メディア。
【請求項１９】
前記インストラクションは、実行されると前記機械に、導出された正確な衛星の位置、計算された衛星の高度、前記データ内に含まれる評価済みの位置決定、または受信機自律完全性管理の結果のうちの少なくとも１つを使用することによって前記データを処理させる、請求項１７に記載の機械可読メディア。
【請求項２０】
前記インストラクションは、実行されると前記機械に、導出された正確な衛星の位置および受信された信号のうちの少なくとも１つを使用して位置決定を導出すること、複数の受信された信号および補間されたクロック・ドリフトを使用して位置決定を導出すること、既知の位置および回答者の移動速度を使用して位置決定を導出すること、または決定された、もしくは導出された位置決定をマルチパス干渉が検出された場合に取り除くことによって前記処理されたデータから前記位置決定を導出させる、請求項１７に記載の機械可読メディア。
【請求項２１】
前記インストラクションは、実行されると前記機械に、人工知能テクニックを使用することによって前記導出された位置決定のうちの少なくとも１つを既知の移動コースと整列するべく前記決定ツリーに基づいて修正させる、請求項１７に記載の機械可読メディア。
【請求項２２】
前記インストラクションは、実行されると前記機械に、可能移動経路を表す決定ツリーを組み立てること、前記決定ツリーのノードに尤度値を割り当てること、およびもっとも高い結合した尤度を有する前記決定ツリーの枝に対応する移動経路を選択することによって前記導出された位置決定のうちの少なくとも１つを既知の移動コースと整列するべく前記決定ツリーに基づいて修正させる、請求項１７に記載の機械可読メディア。
【請求項２３】
前記尤度値は、データ・モーメント、データ・ライン・ドット積、または文脈分析のうちの少なくとも１つを基礎とする、請求項２２に記載の機械可読メディア。
【請求項２４】
回答者の場所を表す記録されたデータを読み出すべく構成されたファイル・リーダ；
データをストアするべく構成されたメモリ；および
処理エンジンであって：
前記記録されたデータを前記データの完全性または精度のうちの少なくとも１つを向上させるべく処理するフィルタ；
前記処理されたデータから位置決定を導出するフィルタ；および、
前記導出された位置決定のうちの少なくとも１つを既知の移動コースと整列するべく決定ツリーに基づいて修正するフィルタ；
を適用するべく構成された処理エンジン；
を包含する装置。